(57)【要約】【課題】一方の筐体を把持しながら他方の筐体をスライドさせる時にスライドさせる他方の筐体に触れたり握ったりする虞がなく、スムースなスライド開放動作が実現できる携帯電子機器を提供する。【解決手段】携帯電子機器１は、第１筐体２と第２筐体３に２分割されており、第２筐体３を保持した状態で第１筐体２を開放方向にスライド移動させる開放（スライド）手段を備え、第２筐体３の側面周辺にスライド動作を妨げないための立壁部５を、第１筐体２を取り囲むよう形成した。【選択図】  図１
2004208182.tif 000002
【特許請求の範囲】
【請求項１】
スライド移動手段により開閉可能に連結された第１筐体及び第２筐体と、
前記第２筐体の外面のうち前記第１筐体との対向面に配置され、前記第２筐体との重合面を少なくする方向に、第１筐体をスライド移動させると操作領域が現れる操作部と、
前記第２筐体の外周部分に形成され、少なくとも前記第１筐体の両側面の一部を覆う立壁部と
を備えたことを特徴とする携帯電子機器。
【請求項２】
前記立壁部は、前記第２筐体と一体成型で形成していることを特徴とする請求項１に記載の携帯電子機器。
【請求項３】
使用者が携帯電子機器の本体を保持する際に、前記携帯電子機器の本体側面を挟持する部分に、前記第１筐体の両側面の一部を覆う立壁部を別部品で着脱可能に設けていることを特徴とする請求項１に記載の携帯電子機器。
【請求項４】
前記立壁部が、前記第２筐体を構成している材料とは異なる材質で構成している請求項３に記載の携帯電子機器。
【請求項５】
前記第１筐体をスライド移動させると現れる前記操作部を設けた前記操作領域の近傍には、前記立壁部を設けていないことを特徴とする請求項１乃至４のいずれか１項に記載の携帯電子機器。
【請求項６】
前記第１筐体をスライド移動させると現れる前記操作部を設けた前記操作領域の近傍には、前記立壁部の高さを他の部分よりも低く設けたことを特徴とする請求項１乃至４のいずれか１項に記載の携帯電子機器。
【請求項７】
前記立壁部の内周面と前記第１筐体の外周面に、嵌合用のリブ或いは溝切部を具備していることを特徴とする請求項１乃至６のいずれか１項に記載の携帯電子機器。
【請求項８】
前記立壁部に弾性部材を設けていることを特徴とする請求項１乃至７のいずれか１項に記載の携帯電子機器。
【請求項９】
前記立壁部にシボ打ち加工を施していることを特徴とする請求項１乃至８のいずれか１項に記載の携帯電子機器。
【発明の詳細な説明】
【０００１】
【発明の属する技術分野】
本発明は、携帯電話機、携帯無線機、ＰＨＳ、トランシーバ、コードレス電話機などの携帯電子機器に係り、特に一対の筐体に対してスライドによる開閉機構を備えた携帯電子機器に関するものである。
【０００２】
【従来の技術】
従来、液晶表示面などを設けた第１筐体とこれと重合するように第１筐体の下側に配置した状態でスライド可能に連結された第２筐体と、これら一対の筐体に対してスライド動作を行うための開閉機構とを備えた携帯電子機器が知られている。
【０００３】
このような構成の携帯電子機器では、下側に位置する第２筐体に大きなグリップ部を設けることにより、この携帯電子機器の使用者が片手などで第２筐体を握るスペースを確保し、第１筐体をスライド移動させて開閉操作を行う構造が一般的に用いられてきた（例えば特許文献１参照。）。
【０００４】
【特許文献１】
特開平１１−３３１３３２号公報（図６、図７）
【０００５】
【発明が解決しようとする課題】
しかしながら、従来の携帯電子機器にあっては、携帯電子機器の使用者が携帯電子機器を握る際に、第２筐体と共に第１筐体まで握ってしまい、スムースなスライド開放動作が行えない、といった問題があった。
【０００６】
本発明は、前記した従来の問題を解決するためになされたものであり、一方の筐体を把持しながら他方の筐体をスライドさせる時にスライドさせる方の筐体に触れたり握ったりする虞がなく、スムースなスライド開放動作が実現できる携帯電子機器を提供することを目的とする。
【０００７】
【課題を解決するための手段】
本発明の携帯電子機器は、スライド移動手段により開閉可能に連結された第１筐体及び第２筐体と、
前記第２筐体の外面のうち前記第１筐体との対向面に配置され、前記第２筐体との重合面を少なくする方向に、第１筐体をスライド移動させると操作領域が現れる操作部と、
前記第２筐体の外周部分に構成され、少なくとも前記第１筐体の両側面の一部を覆う立壁部と
を備えたことを特徴としている。
【０００８】
この構成により、機器使用者が携帯電子機器を握る際、第２筐体だけを確実に握ることができるため、第１筐体に触れたり、握ることがなく、スムースにスライド動作を行うことができる。
【０００９】
また、本発明の携帯電子機器は、前記立壁部が、前記第２筐体と一体成型で形成していることを特徴としている。
【００１０】
この構成により、立壁部が簡単な構造で形成することができるため、部品点数の削減や組み立て工数の削減ができる。
【００１１】
また、本発明の携帯電子機器は、使用者が携帯電子機器の本体を保持する際に、前記携帯電子機器の本体側面を挟持する部分に、前記第１筐体の両側面の一部を覆う立壁部を別部品で着脱可能に設けていることを特徴としている。
【００１２】
この構成により、機器使用者の意思によって自由の立壁部品の脱着や交換が可能となる。
【００１３】
さらに、本発明の携帯電子機器は、前記立壁部が、前記第２筐体を構成している材料とは異なる材質で構成していることを特徴としている。
【００１４】
この構成により、例えば、主として第２筐体を構成している材料を軽量な樹脂材料とするとともに、立壁部のみを強靭な金属材料とすることにより、強度的に必要な部分以外は質量的に密度の低い材料とすることができるため、強度確保を行いつつ携帯電子機器の軽量化を実現することができる。
【００１５】
さらに、本発明の携帯電子機器は、前記第１筐体をスライド移動させると現れる前記操作部を設けた前記操作領域の近傍には、前記立壁部を設けていないことを特徴としている。
【００１６】
この構成により、キーボタン周囲には指の動きを規制する障害物がないため、キーボタン操作をスムースに行うことができる。
【００１７】
さらに、本発明の携帯電子機器は、前記第１筐体をスライド移動させると現れる前記操作領域の近傍に、前記立壁部の高さを他の部分よりも低く設けたことを特徴としている。
【００１８】
この構成により、キーボタン周囲には指の動きを規制する障害物となる立壁部がほとんど邪魔にならないため、キーボタン操作をスムースに行うことができる。
【００１９】
さらに、本発明の携帯電子機器は、前記立壁部の内周面と前記第１筐体の外周面に、嵌合用のリブ或いは溝切部を具備していることを特徴としている。
【００２０】
この構成により、前記第１筐体と前記第２筐体の嵌合調整を容易に行うことができるため、簡単な構造でガタつきを防止することができる。
【００２１】
さらに、本発明の携帯電子機器は、前記立ち壁構造に、弾性部材を設けていることを特徴としている。
【００２２】
この構成により、携帯電子機器に加わる衝撃に対して弾性部材が緩衝するため衝撃吸収構造が実現できる。
【００２３】
さらに、本発明の携帯電子機器は、前記立壁部にシボ打ち加工を有していることを特徴としている。
【００２４】
この構成により、携帯電子機器を握る際の滑り止めとなり、携帯電子機器の使用時に落下を防止することができる。
【００２５】
【発明の実施の形態】
以下、本発明の実施の形態について、図面を用いて説明する。
【００２６】
［第１の実施の形態］
図１（Ａ）、（Ｂ）は、本発明の第１の実施の形態に係るスライド式の携帯電子機器（本実施形態では、具体的には携帯電話機に適用している）１を示す斜視図であり、この携帯電子機器１は、分割されて互いにスライド可能な状態に連結された第１筐体２及び第２筐体３と、この第１筐体２を第２筐体３から開放させる図示外の開放（スライド移動）手段とを備えており、第２筐体３の側部に配置したスイッチ４を操作すると、第２筐体３を保持した状態で第１筐体２を先方向（Ｘ方向）に自動的にスライド移動させることで、第２筐体３のキーボタン３Ａ（操作部）を出現可能にする構成となっている。
【００２７】
第２筐体３の側面周辺には、第１筐体２を取り囲むよう略コの字型に形成されて立ち上がった壁状の立壁部５を一体に備えており、この立壁部５を把持して第１，第２の筐体２，３間のスライド動作を行うようになっている。ここで、この立壁部５は、第１筐体２のスライド方向（Ｘ方向）に関しては形成されていないが、第１の筐体１には、第２の筐体３に対してスライド動作の際のスライド方向をガイドするために、図示外のガイド突起が設けてある一方、第２筐体３には、そのガイド突起がスライド（Ｘ）方向に沿って係合する係合溝を設けており、これらが案内機構を構成している。なお、この案内機構としては、特にこの構成のものに限定されるものではない。
【００２８】
第１筐体２をスライド移動して第２筐体３のキーボタン３Ａを自動的に開放する本実施形態の開放手段としては、第２筐体３の内部などに設けたモータと、このモータで回転する第２筐体３の上面（キーボタン３Ａを設けた上面の手前部よりも上面の奥部側）などに設けたピニオンと、このピニオンが噛合する第１筐体２の背面などに設けたラック等（いずれも図示せず）とを備えたスライド機構で構成されている。これにより、スイッチ４を押すと、モータ及びピニオンが回転し、このピニオンに噛合するラックを取付けた第１筐体２が、第２筐体３との間で相対的なスライド動作を自動的に行うようになっている。
【００２９】
なお、本実施形態では、モータ及びピニオンを第２筐体３側に設ける一方、ラックを第１筐体２に設けたが、これに限定されるものではなく、例えば、これらを互いに反対側の筐体に設けても良い。また、これらの設置位置も、本実施形態のものに限定されるものではない。
【００３０】
また、この開放手段としては、適宜の構成のものが適用可能である。例えば、手動によって第１筐体２を上方向へ押し上げる方法等も考えられるが、その構造等については、公知の適宜のものが各種適用可能である。
【００３１】
以上のように構成された第１の実施の形態に係る電子携帯機器について、図１（Ａ）、（Ｂ）を用いてその動作を説明する。
まず、電子携帯機器１の使用者は、図１（Ａ）に示す携帯電子機器１の第２筐体３を片手で握り、スイッチ４を押すことによって第１筐体２を上方向にスライドさせる（ここで、スイッチ４を備えていない手動構造のものにあっては、人の手指などによって第１筐体２を上方向へ押し上げてスライドさせることになる）。立壁部５は第２筐体３から第１筐体２まで機器使用者が保持する指の位置に対して十分な範囲を確保できるように延設されているので、使用者が携帯電子機器１を自然な形で握った時に、必ず第２筐体３を握っていることとなる。
【００３２】
このように、本発明の第１の実施の形態の携帯電子機器１によれば、第２筐体３の側面周辺にスライド開放動作を妨げない目的で、第１筐体２を取り囲むよう形成された立壁部５を設けることにより、使用者が携帯電子機器１を握る場合に、第２筐体３（この場合、第２筐体３が非スライド移動側となる）のみを確実に握ることができる。このため、第１筐体２をスライドする際、第１筐体２に指が触れたり、握ったり、引っ掛かってしまうことを防止できる。
これにより、スムースなスライド開放動作が行える携帯電子機器を提供することができる。
【００３３】
［第２の実施の形態］
次に本発明の第２の実施の形態について、図２（Ａ）、（Ｂ）を用いて説明する。なお、本実施の形態において、第１の実施形態と同一部分には同一符号を付して重複説明を避ける。
【００３４】
第２の実施の形態では、図２（Ｂ）に示すように、第２筐体３の側面周辺にスライド動作を妨げない目的で、第１筐体２を取り囲むよう形成された立壁部品６が、第２筐体３とは別体のもので着脱可能に構成されているという点が、先に述べた第１の実施の形態とは相違している。
【００３５】
立壁部品６には、図２（Ｂ）に示すように両端部及び中間部につめ部６１を設けており、第２筐体３に設けたつめ嵌合部３１に嵌め込むことにより、第２筐体３と固定するようになっている。
【００３６】
なお、この立壁部品６は、第２筐体３とは別部品のため、第２筐体３を構成する材料とは異なる材料で構成することも可能であり、例えば第２筐体３を構成する材料には軽量な樹脂材料を用いる一方、立壁部品６には強靭な金属材料を用いることにより、強度の向上を図るようにしてもよい。
また、以上の説明では、第２筐体３と立壁部品６の固定方法として、つめ部６１とつめ嵌合部３１の嵌め込みにより固定するように構成したが、これ以外に、ねじ、接着剤、圧入等の適宜の方法・手段を用いても同様に実施可能である。
【００３７】
以上説明したように、第２の実施の形態によれば、立壁部品６を第２筐体３と別部品で形成することにより、携帯電子機器１の使用者の好みに応じて立壁部品６のみを脱着することが可能な携帯電子機器を実現することができる。
また、使用者の好みに応じた各種タイプの立壁部品６を用意しておけば、目的や用途に合わせて適宜に交換して使い分けることもできる。例えば、立壁部品６を金属などの強靭な材料で構成することができるため、外力に対する強度を向上することも可能である。
【００３８】
［第３の実施の形態］
次に、本発明の第３の実施の形態について、図３を用いて説明する。なお、本実施形態において、第１の実施の形態と同一部分には同一符号を付して重複説明を避ける。
【００３９】
第３の実施の形態の携帯電子機器１では、図３（Ａ）に示すように、第２筐体３上の外周に沿って上方に突設した状態で配置されている立壁部７が、キーボタン３Ａの設置領域である手前側領域を臨む周囲部分（操作領域）には形成されていないという点で、先に述べた第１の実施の形態の立壁部５とは構成が相違している。
【００４０】
したがって、本実施の形態によれば、携帯電子機器１の使用者は、図３（Ａ）に示すように、第１筐体２を手前方向とは逆の先（上）方向にスライドさせたのち、第２筐体３において露出してきた操作領域のキーボタン３Ａを、第２筐体３を握っている手の指（例えば親指）で操作することができる。このとき、キーボタン３Ａを臨む操作領域の周囲には立壁部７をなくしてあることにより、操作中の指が第２筐体３から出てしまうような広い範囲に亙って大きく指操作を行うような時でも、指の移動を妨げる障害物が発生しないので、操作性が大幅に向上する。
【００４１】
このように、キーボタン３Ａの周りに立壁部７がないため、キーボタン３Ａをスムースに操作できる携帯電子機器を提供することができる。なお、立壁部７は、図３（Ａ）においては角張った形状をしているが、周囲にラウンド形状（或いは面取りなど）を付けることにより、指の形状に適合した形状或いは指で把持するのに適合した形状とすることや、厚みを持たせたラウンド形状とすることで立壁部７の強度を増大させることもできる。
【００４２】
なお、以上の説明では、立壁部７のうちキーボタン３Ａを望む周囲の部分については完全になくす構成のものについて説明したが、そのほかに、キーボタン３Ａの操作性を失わない程度に低く突設した立壁などであれば、第２筐体３のキーボタン３Ａを臨む外周に沿って周囲全面に突設することも、また、第２筐体３の外周に沿って手前側（下部）の側面のみ突設することも可能である。
【００４３】
これより、キーボタン３Ａの操作性を確保しつつ、同時に、携帯電子機器の第１筐体２を保護する機能を確保できる。つまり、第２筐体３側だけを把持するつもりが、第１筐体２までをも指などで把持してしまい、スムースなスライド開放動作が行えない、といったトラブルを防止することができるようになる。
【００４４】
また、この第３の実施の形態の変形例として、第１筐体２側において、図３（Ａ）の立壁部７を上下逆向きに形成してもよい。即ち、例えば図３（Ｂ）に示すように、立壁部７を第１筐体２上の外周に沿って下方に突出した状態で配置するとともに、この立壁部７を第１筐体２側のキーボタン（操作部）２Ａの設置領域である手前側領域を含む周囲部分（操作領域）には形成しないように構成してもよい。但し、立壁部７は、スライドしていない筐体の第２筐体３を握ったときに、指で覆われない個所に位置していることが好ましい。若しくは、立壁部７と第２筐体３との間に指が入る程度の空隙を設けることが好ましい。
【００４５】
この構成によって、第２筐体３上面の外周に沿って上方に突出した状態で立壁部７を配置した、図３（Ａ）に示す第３実施の形態で得られる効果と同一の効果を得ることができる。
さらに、この変形例では、図３（Ｂ）において、第２筐体３を掌と親指以外の指で保持し、その状態で立壁部７に親指をかけ、第１筐体２を上方にスライドさせることによって、キーボタン３Ａを出現させ、直ちに親指でキー操作を行うことができる。即ち、第１筐体２をスライドさせて、キーボタン２Ａとともにキーボタン３Ａを操作する一連の動きを、一つの指（例えば親指）の動きだけで素早く行うことができる、という効果を有する。
【００４６】
［第４の実施の形態］
次に本発明の第４の実施の形態について、図４（Ａ）、（Ｂ）を用いて説明する。なお、本実施の形態において、第１の実施の形態と同一部分には同一符号を付して重複説明を避ける。
【００４７】
第４の実施の形態では、立壁部８の内周面にリブ８１を、第１筐体２の外周面にリブ２２を付けた、という点が先に述べた第１の実施の形態とは相違している。
【００４８】
このリブ８１とリブ２２とは、第２筐体３に対して第１筐体２を完全に所定位置まで収めた状態（以下、これを「重合状態」とよぶ）のときに、リブ同士が係止し合うように双方の突設位置が調整されている。そして、第２筐体３に対して第１筐体２を重合状態に収納させたときに、これらのリブ同士が接触・当接状態になることから、このリブ同士が当接する際に、クリック音を発生することができるようになっている。
したがって、このクリック音により、例えば、重合状態の位置からさらに収納（手前）方向へ無理に押戻そうとして、その押戻し力のために、スライド機構部部をいためたり破損したりする、といったトラブルを防止することができるように構成されている。
【００４９】
なお、これらのリブ８１とリブ２２とについては、少なくとも、いずれか一方を摩擦力の大きな材料、例えばゴムなどで形成して固着させるようにしてもよい。このように構成すれば、第２筐体３に対して第１筐体２を重合状態の位置まで収納させたときに、ある程度の反力を操作する指に発生させることができ、これにより第１筐体２が所定位置に戻ったことを確認できる。
【００５０】
なお、前述のリブ８１及びリブ２２については、双方共に形成する場合でも、またいずれか一方だけ形成する場合でも、どちらでも構わない。さらに、図４（Ｃ）に示すように、第１筐体２の外周面のリブ２２に対して、これが係合（若しくは嵌合）する溝切部３２を立壁部８に形成するような構成であってもよい。
【００５１】
したがって、本実施の形態によれば、立壁部８の内周面とこれに対向する第１筐体２の外周面とにリブ８１及びリブ２２を設けたことで、第２筐体３に対して第１筐体２を重合状態の位置まで収めれば、第２筐体３から第１筐体２が一時的に固定された状態となるので、第１筐体２が不要にガタついて、前後にずるずるガタガタと移動する、といったことが防止できる。
【００５２】
さらに、図４（Ｃ）に示すように、第１筐体２の外周面のリブ２２に係合（若しくは嵌合）する溝切部３２を、立壁部８に設けるように構成した場合には、第１筐体２と第２筐体３の係合（若しくは嵌合）作業や係合状態の調整作業を容易に行うことができる。しかも、このように構成すれば、双方の筐体を係合状態に組み付けた後に、第１筐体２が第２筐体３に対してスライドする際の係合（若しくは嵌合）動作を確実に行うことができるため、簡単構造でガタつきの少ない携帯電子機器を提供することができる。
【００５３】
［第５の実施の形態］
次に本発明の第５の実施の形態について、図５を用いて説明する。なお、本実施形態において、第１の実施形態と同一部分には同一符号を付して重複説明を避ける。
【００５４】
第５の実施の形態では、立壁部５の上縁部に弾性部材５１を設けている点が、第１の実施の形態とは相違している。
この弾性部材５１は、特に第２筐体３のキーボタン３Ａを操作する際に、指や手のひらなどが立壁部５の上縁部に接触したときの感触、例えば押圧や係止などによる不快感や圧迫感を減殺するばかりでなく、ここちよいソフトな感触をもたらすことができるようにするためのものでもあり、適宜の軟性樹脂、例えばシリコーン樹脂、その他の合成樹脂で形成されている。
【００５５】
なお、この弾性部材５１は、立壁部５の上縁部に固着させた構成としてもよいし、長期間の使用に伴う磨耗や屋外での使用の際の紫外線などでの劣化を考慮して、着脱（交換）可能に構成してもよい。例えば、着脱可能とするには、開口縁部に狭くなった挟持部を設け、この挟持部で立壁部５の上縁部に挟み付ける構成とすることで実現可能である。
【００５６】
したがって、本実施の形態によれば、立壁部５に弾性部材５１を設けていることにより、簡単構造で衝撃吸収などの効果が得られる携帯電子機器を提供することができる。
なお、以上の説明では、弾性部材５１を立壁部５に施した構造を例に説明したが、そのほかに、例えば図２に示す第２の実施の形態のような別部品化した立壁部品６に弾性部材５１を施した場合についても、同様に適用可能である。
【００５７】
［第６の実施の形態］
次に本発明の第６の実施の形態について、図６を用いて説明する。なお、本実施形態において、第１の実施形態と同一部分には同一符号を付して重複説明を避ける。
【００５８】
第６の実施の形態では、立壁部５にシボ打ち加工５２が施されている点が、第１の実施の形態とは相違している。
【００５９】
このシボ打ち加工５２とは、通常一般に、使用者が指などで把持すると予想される領域、例えば図６に示すように、左右側面の中間部近傍に小さな凹凸（例えば、エンボス加工或いは梨地加工など）を設けたり、あやめ加工を施して形成したものであり、摩擦力を高めて滑り止めの効果を付与したり、目の不自由な使用者などに把持位置を案内することなどができるように構成されている。
【００６０】
以上より、立壁部５にシボ打ち加工５２が施されていることにより携帯電子機器を握る際のすべり止めとなるため、簡単構造で機器操作時の落下防止効果を備えた携帯電子機器を提供することができる。
なお、以上の説明では、シボ打ち加工５２を立壁部５に施した構造を例に説明したが、そのほかに、例えば図２に示す第２の実施の形態のような立壁部品６にシボ打ち加工を施した場合についても、同様に実施可能である。
【００６１】
【発明の効果】
以上のように本発明は、スライド移動により開閉動作可能に連結された第１筐体及び第２筐体と、第２筐体の外周部に構成した立壁部を具備し、立壁部が第１筐体の外周を覆う位置まで上部に延長して設けていることで、一方の筐体を把持しながら他方の筐体をスライドさせる時にスライドさせる他方の筐体に触れたり握ったりする虞がなく、スムースなスライド開放動作が実現できる、という効果を有する携帯電子機器を提供できるものである。
【図面の簡単な説明】
【図１】本発明の第１の実施の形態に係る携帯電子機器を示すものであり、（Ａ）は完全に閉じた重合状態を示す斜視図、（Ｂ）は開いたときの状態を示す斜視図である。
【図２】本発明の第２の実施の形態に係る携帯電子機器を示すものであり、（Ａ）は立壁部品を組み付けた状態を示す斜視図、（Ｂ）は立壁部品を取り外した分解斜視図である。
【図３】（Ａ）は本発明の第３の実施の形態に係る携帯電子機器の斜視図、（Ｂ）は第３の実施の形態の変形例を示す斜視図である。
【図４】本発明の第４の実施の形態に係る携帯電子機器を示すものであり、（Ａ）はその正面図、（Ｂ）は重合状態を示す正面図、（Ｃ）は変形例を示す概略構成図である。
【図５】本発明の第５の実施の形態に係る携帯電子機器の斜視図である。
【図６】本発明の第６の実施の形態に係る携帯電子機器の斜視図である。
【符号の説明】
１      携帯電子機器
２      第１筐体
２Ａ    キーボタン（操作部）
２２    リブ
３      第２筐体
３Ａ    キーボタン（操作部）
３１    つめ嵌合部
３２    溝切部
４      スイッチ
５      立壁部
５１    弾性部材
５２    シボ打ち加工
６      立壁部品
６１    つめ部
７      立壁部
８      立壁部
８１    リブ
【図１】
2004208182.tif 000003
【図２】
2004208182.tif 000004
【図３】
2004208182.tif 000005
【図４】
2004208182.tif 000006
【図５】
2004208182.tif 000007
【図６】
2004208182.tif 000008